(57)【要約】【課題】本発明は、組み立てや分解をより簡単に行うことができる間仕切り壁を提案する。【解決手段】本発明の間仕切り壁１００は、複数本の縦枠１と、隣接する２本の縦枠１に架け渡される横枠２と、縦枠１と横枠２とで形成される設置枠３に設置される壁パネル４とを備える。この間仕切り壁１００では、縦枠１と横枠２のうち少なくとも一方は、マグネットを有し、このマグネットの磁力で縦枠１と横枠２とは連結される。【選択図】図１
2015017473.tif 000002
【特許請求の範囲】
【請求項１】
複数本の縦枠と、隣接する２本の前記縦枠に架け渡される横枠と、前記縦枠と前記横枠とで形成される設置枠に設置される壁パネルとを備え、
前記縦枠と前記横枠のうち少なくとも一方は、マグネットを有し、
このマグネットの磁力で前記横枠と前記縦枠とは連結されることを特徴とする間仕切り壁。
【請求項２】
前記設置枠と前記壁パネルのうち少なくとも一方は、マグネットを有し、
このマグネットの磁力で前記壁パネルは前記設置枠に連結されることを特徴とする請求項１に記載の間仕切り壁。
【発明の詳細な説明】
【技術分野】
【０００１】
本発明は、室内空間を仕切る組立式の間仕切り壁に関するものである。
【背景技術】
【０００２】
特許文献１には、組み立て及び分解可能としたフレームと、このフレームに取り付けられる面部材から構成される間仕切りが開示されている。
【０００３】
フレームは、複数のパイプと、この複数のパイプ同士を連結させるＬ型のコーナージョイントとで構成されている。このコーナージョイントをパイプにビスで止め付けることによって、フレームは組み立てられる。
【先行技術文献】
【特許文献】
【０００４】
【特許文献１】特開２００３−１９３５９６号公報
【発明の概要】
【発明が解決しようとする課題】
【０００５】
しかし、上述した特許文献１の間仕切りでは、季節ごとに間仕切りの配置を変えるなど、組み立てや分解を繰り返す場合に、ビスの付け外しが手間であるといった問題があった。
【０００６】
そこで、本発明は、組み立てや分解をより簡単に行うことができる間仕切り壁を提案することを課題とする。
【課題を解決するための手段】
【０００７】
上記課題を解決する本発明の間仕切り壁は、複数本の縦枠と、隣接する２本の前記縦枠に架け渡される横枠と、前記縦枠と前記横枠とで形成される設置枠に設置される壁パネルとを備え、前記縦枠と前記横枠のうち少なくとも一方は、マグネットを有し、前記マグネットの磁力で前記横枠と前記縦枠とは連結されることを特徴とする。
【０００８】
また、前記設置枠と前記壁パネルのうち少なくとも一方は、マグネットを有し、このマグネットの磁力で前記壁パネルは前記設置枠に連結されることが好ましい。
【発明の効果】
【０００９】
本発明の間仕切り壁では、縦枠と横枠とをマグネットの磁力によって連結して設置枠を形成することができる。そのため、本発明の間仕切り壁は、設置枠の組み立てや分解のたびにビスの付け外しをする場合に比べて、組み立てや分解をより簡単に行うことができる。
【図面の簡単な説明】
【００１０】
【図１】本発明の実施形態の間仕切り壁を示す背面図であり、（ａ）は設置状態を示し、（ｂ）は分解状態を示す。
【図２】（ａ）（ｂ）は同上の間仕切り壁の設置枠（横枠）に壁パネルを設置する工程を示す側断面図である。
【発明を実施するための形態】
【００１１】
以下、本発明の実施形態を添付図面に基づいて説明する。
【００１２】
図１に示す本実施形態の間仕切り壁１００は、複数本の縦枠１と、隣接する２本の縦枠１に架け渡される横枠２と、縦枠１と横枠２とで形成される設置枠３に設置される壁パネル４とを備える。この間仕切り壁１００では、縦枠１と横枠２のうち少なくとも一方は、マグネット（図示せず）を有し、このマグネットの磁力で縦枠１と横枠２とは連結される。以下では、図１（ａ）に示す設置状態を基準とし、縦枠１の長手方向を上下方向とし、２本の縦枠１が並ぶ方向を左右方向とし、この上下方向と左右方向に直交する方向を前後方向として、各構成について説明する。
【００１３】
本実施形態の間仕切り壁１００では、縦枠１を複数本備える。縦枠１の本数は、適宜設定可能であるが、本実施形態では２本である。
【００１４】
縦枠１は、図１（ａ）に示すように、床５と天井６との間に突っ張らせて固定するものである。縦枠１は、鉄等の金属や硬質な合成樹脂によって形成される。縦枠１は、図１（ｂ）に示すように、縦枠本体１０、連結部１１、天井突き当て部１２、及び脚部１３を有する。縦枠本体１０は、上下方向に長尺な１本の筒状体である。縦枠本体１０は、例えば、円筒状である。縦枠本体１０は、天井６と床５との間の上下距離に対応した長さを有し、本実施形態では前記上下距離よりも若干短い。なお、縦枠本体１０は、複数本の筒状体を長手方向に連結することで、天井６と床５との間の距離に対応した長さを有するようにしたものであってもよい。
【００１５】
連結部１１は、横枠２に連結される部位であり、本実施形態では筒状体である。連結部１１は、縦枠本体１０の長手方向（上下方向）の一部から側方（右方または左方）に向けて突出する。本実施形態では、連結部１１は円筒状である。連結部１１は、縦枠本体１０に複数（本実施形態では３つ）設けられる。複数の連結部１１は、上下方向に並べて配置され、上下に並ぶ２つの連結部１１は、壁パネル４（詳細は後述する）の上下長さよりも若干長い距離離れている。連結部１１は、縦枠本体１に溶着等によって取り付けられ、縦枠本体１０と一体である。なお、連結部１１は、縦枠本体１０と一体に成型されたものであってもよい。
【００１６】
天井突き当て部１２は、縦枠本体１０の長手方向の一端部（上端部）に内蔵されるばね構造（図示せず）を介して、縦枠本体１０に取り付けられる。天井突き当て部１２は、天井６に突き当てられる突き当て板１２０と、この突き当て板１２０から下方に突出する連結軸１２１とを有する。天井突き当て部１２は、連結軸１２１に前記ばね構造からの付勢力が上方に向けてかかることで、天井６に押し当てられる。なお、天井突き当て部１２は、連結軸１２１が縦枠本体１０に螺合されるものであってもよい。この場合、天井突き当て部１２は、連結軸１２１の縦枠本体１０からの突出量を調整することで、突き当て板１２０を天井６に押し当てることができる。
【００１７】
脚部１３は、縦枠本体１０の長手方向の他端部（下端部）に取り付けられる。脚部１３は、床５に載置される載置板１３０と、載置板１３０から上方に突出する連結軸１３１とを有する。脚部１３の連結軸１３１は、縦枠本体１０の長手方向の他端部（下端部）の内側に固定される。脚部１３は、載置板１３０から縦枠本体１０までの上下方向の距離が所定の距離となるように縦枠本体１０に取り付けられる。なお、脚部１３は、連結軸１３１が縦枠本体１０に螺合するものであってもよい。この場合、脚部１３は、載置板１３０から縦枠本体１０までの上下方向の距離が調整可能である。
【００１８】
２本の縦枠１は、それぞれ床５と天井６との間に突っ張らせて固定される。このとき、２本の縦枠１は、各連結部１１が互いに同じ高さに位置するように設置される。例えば、一方の縦枠１の最上部の連結部１１と、他方の縦枠１の最上部の連結部１１とが、同じ高さ位置となるように、２本の縦枠１は、床５と天井６との間に固定される。
【００１９】
本実施形態の間仕切り壁１００では、横枠２を複数本備える。横枠２の本数は、縦枠１の連結部１１の数に対応しており、本実施形態では３本である。
【００２０】
横枠２は、鉄等の金属や硬質な合成樹脂によって形成される。各横枠２は、横枠本体２０と、パネル連結部２２と、を有する。横枠本体２０は、左右方向に長尺な１本の筒状体である。なお、横枠本体２０は、縦枠本体１０よりも短い。横枠本体２０は、例えば、円筒状である。横枠本体２０は、壁パネル４の横幅（左右幅）と同じかそれよりも若干長い。なお、横枠本体２０は、複数本の筒状体を長手方向（左右方向）に連結することで、壁パネル４の横幅に対応した長さを有するようにしたものであってもよい。
【００２１】
横枠本体２０は、長手方向（左右方向）の一端部と他端部にそれぞれ形成される連結部２１を有する。連結部２１は、横枠本体２０と同様に、本実施形態では、円筒状である。以下では、必要に応じて、縦枠本体１０の連結部１１を縦枠連結部１１といい、横枠本体２０の連結部２１を横枠連結部２１という。横枠連結部２１の内径は、縦枠連結部１１の外径と同じかそれよりも若干大きい。
【００２２】
パネル連結部２２は、横枠本体２０の長手方向（左右方向）の左右の両端部（連結部２１）にそれぞれ設けられている。複数本の横枠２のうち最上部に配される横枠２では、パネル連結部２２は下方に向けて突出して形成される。また、複数本の横枠２のうち最下部に配される横枠２では、パネル連結部２２は上方に向けて突出して形成される。また、複数本の横枠２のうち、最上部と最下部を除く中間位置に配される横枠２では、パネル連結部２２は上方と下方に向けてそれぞれ突出して形成される。本実施形態では、各パネル連結部２２は、横枠本体２０の長手方向の端縁よりも少し内側から突出している。なお、各パネル連結部２２は、側端が横枠本体２０の長手方向の端縁と面一となるように、突出させてもよい。
【００２３】
パネル連結部２２は、矩形板状である。パネル連結部２２は、図２（ａ）に示すように、横枠本体２０の前後方向の中央部から突出している。各パネル連結部２２は、片側の面（本実施形態では前面）が壁パネル４に当接される当接面となっている。
【００２４】
本実施形態の間仕切り壁１００では、壁パネル４を複数枚備える。壁パネル４の枚数は、横枠２の本数に対応しており、本実施形態では２枚である。なお、２枚の壁パネル４は、同じ意匠のものであってもよいし、異なる意匠のものであってもよい。
【００２５】
壁パネル４は、図１に示すように、左右２本の縦枠１と上下２本の横枠２とで形成される設置枠３内に収まる形状をなしており、本実施形態では、矩形板状である。本実施形態の壁パネル４は、左右方向に長い長方形板状である。
【００２６】
壁パネル４は、横枠２のパネル連結部２２に対応する箇所に、連結凹部４０を有する。連結凹部４０には、パネル連結部２２が収められる。壁パネル４は、上端部の左右両端部と下端部の左右両端部の計４箇所に、連結凹部４０を有する。言い換えると、壁パネル４は、４つの隅部に連結凹部４０を有する。各連結凹部４０は、横枠２の各パネル連結部２２に対応して、壁パネル４の左端または右端よりも少し内側（左右方向の中央側）に設けられている。
【００２７】
連結凹部４０は、図１（ｂ）及び図２（ａ）に示すように、壁パネル４の後面の一部を前面側に凹ませて形成したものである。連結凹部４０は、近接する横枠２側（上方または下方）に向けて開口し、且つ後方に向けて開口している。なお、連結凹部４０は、近接する縦枠１側（右方または左方）に向けても開口するものであってもよい。
【００２８】
連結凹部４０は、パネル連結部２２に対応した形状であり、本実施形態では、背面視矩形状の溝である。連結凹部４０の溝深さは、パネル連結部２２の厚みと略同じである。そのため、図２（ｂ）に示すように、連結凹部４０の底面にパネル連結部２２の当接面（前面）を当接させて、パネル連結部２２を連結凹部４０に収納した際、パネル連結部２２の当接面の反対側の面（後面）は壁パネル４の連結凹部４０以外の箇所の後面と略面一となる。
【００２９】
本実施形態の間仕切り壁１００では、縦枠連結部１１にマグネットを有し、且つ横枠連結部２１にマグネットを有する。例えば、縦枠連結部１１は外周面にマグネットを有し、横枠連結部２１は内周面にマグネットを有する。つまり、縦枠連結部１１は、径方向の外側部分がマグネットで形成され、径方向の内側部分が他の材料で形成される。そして、横枠連結部２１は、径方向の内側部分がマグネットで形成され、径方向の外側部分が他の材料で形成される。なお、縦枠連結部１１及び横枠連結部２１は、径方向の一部だけでなく径方向の全部がマグネットで形成されていてもよい。
【００３０】
また、縦枠連結部１１と横枠連結部２１のうち一方がマグネットを有し、他方が鉄等の金属を有してもよい。つまり、縦枠連結部１１と横枠連結部２１とは、磁力によって連結固定されるものであればよい。
【００３１】
さらに本実施形態の間仕切り壁１００では、横枠２のパネル連結部２２にマグネットを有し、壁パネル４の連結凹部４０にマグネットを有する。例えば、パネル連結部２２は前記当接面にマグネットを有し、連結凹部４０は底面にマグネットを有する。つまり、パネル連結部２２は、厚み方向の前面（当接面）側の部分がマグネットで形成され、厚み方向の後面側の部分が他の材料で形成される。そして、連結凹部４０は、底部の後面側の部分がマグネットで形成され、底部の前面側の部分が他の材料で形成される。なお、パネル連結部２２は、全体がマグネットで形成されていてもよい。また、連結凹部４０は、底部全体がマグネットで形成されていてもよい。
【００３２】
また、パネル連結部２２と連結凹部４０のうち一方がマグネットを有し、他方が鉄等の金属を有してもよい。つまり、パネル連結部２２と連結凹部４０とは、磁力によって連結固定されるものであればよい。
【００３３】
続いて、本実施形態の間仕切り壁１００の組み立て工程の一例について説明する。
【００３４】
まず、使用者は、１本の縦枠１の脚部１３の載置板１３０を床５に載置し、天井突き当て部１２の突き当て板１２０を天井６に突き当てることで、この１本の縦枠１を天井６と床５との間に固定設置する。次いで、この縦枠１の３つの連結部１１にそれぞれ、３本の横枠２の一方の連結部２１を差し込む。このとき、縦枠連結部１１のマグネットと横枠連結部２１のマグネットとが磁力によって引き寄せあうことで、１本の縦枠１と３本の横枠２とが連結固定される。
【００３５】
次いで、使用者は、他の１本の縦枠１の３つの連結部１１をそれぞれ、３本の横枠２の他方の連結部２１に差し込む。この差し込んだ位置にて、使用者は、他の１本の縦枠１の脚部１３の載置板１３０を床５に載置し、天井突き当て部１２の突き当て板１２０を天井６に突き当てることで、他の１本の縦枠１を天井６と床５との間に固定設置する。このとき、他の１本の縦枠１の連結部１１のマグネットと３本の横枠２の他方の連結部２１のマグネットとが磁力によって引き寄せあって、他の１本の縦枠１と３本の横枠２とが連結固定される。
【００３６】
以上のように左右２本の縦枠１と上下３本の横枠２とを連結して設置枠３を形成する。このとき、設置枠３は、上下方向の中間に位置する横枠２で区画されて、上下に２つ並んで形成される。
【００３７】
次いで、使用者は、横枠２のパネル連結部２２が壁パネル４の連結凹部４０内に収まるように、壁パネル４を前方から設置枠３に設置する。このとき、パネル連結部２２のマグネットと連結凹部４０のマグネットとが磁力によって引き寄せあって、設置枠３と壁パネル４とが連結固定される。
【００３８】
本実施形態の間仕切り壁１００は、以上のように組み立てられて、天井６と床５との間に設置される。
【００３９】
続いて、本実施形態の間仕切り壁１００の分解工程の一例について説明する。
【００４０】
まず、使用者は、設置枠３に連結固定されている壁パネル４に、後方から力を加えて、設置枠３から壁パネル４を取り外す。このとき、使用者は、壁パネル４と設置枠３との間に働く磁力による吸着力よりも強い力を壁パネル４に加えることで、壁パネル４を設置枠３から取り外すことができる。
【００４１】
次いで、使用者は、左右２本の縦枠１のうちの一方の縦枠１の突き当て板１２０を縦枠本体１０側（下側）に押し下げながら、この一方の縦枠１に横枠２から離れる方向に力を加える。このとき、使用者は、この一方の縦枠１と３本の横枠２との間に働く磁力による吸着力よりも強い力を加えることで、一方の縦枠１を３本の横枠２から取り外すことができる。
【００４２】
次いで、使用者は、左右２本の縦枠１のうちの他方の縦枠１に連結固定されている３本の横枠２に力を加えて、この他方の縦枠１から横枠２を取り外す。このとき、使用者は、他方の縦枠１と各横枠２との間に働く磁力による吸着力よりも強い力を加えることで、他方の縦枠１から各横枠２を取り外すことができる。
【００４３】
次いで、使用者は、残った他方の縦枠１の突き当て板１２０を縦枠本体１０側（下側）に押し下げて、この他方の縦枠１を天井６と床５との間の固定位置から取り外す。
【００４４】
本実施形態の間仕切り壁１００は、以上のように分解されて、天井６と床５との間から取り外される。
【００４５】
以上述べた本実施形態の間仕切り壁１００では、縦枠１と横枠２とをマグネットの磁力で連結して設置枠３を形成することができる。そのため、本実施形態の間仕切り壁１００は、設置枠３の組み立てや分解のたびにビスの付け外しをする場合に比べて、組み立てや分解をより簡単行うことができる。また、本実施形態の間仕切り壁１００では、設置枠３の組み立てや分解の際に、ビスの付け外し用の工具が不要であり、また、ビスの工具差込孔が潰れるおそれもない。
【００４６】
また、本実施形態の間仕切り壁１００では、設置枠３と壁パネル４がマグネットを有し、このマグネットの磁力で壁パネル４が設置枠３に連結されるため、壁パネル４の取り付けや取り外しのたびにビスの付け外しをする場合に比べて、組み立てや分解を簡単に行うことができる。また、本実施形態の間仕切り壁１００では、壁パネル４の取り付けや取り外しの際にも、ビスの付け外し用の工具が不要であり、ビスの工具差込孔が潰れるおそれもない。
【００４７】
なお、上述した実施形態のように、間仕切り壁１００は、設置枠３と壁パネル４のうち少なくとも一方が、マグネットを有し、このマグネットの磁力で壁パネル４が設置枠３に連結されることが好ましいが、これに限定されない。例えば、間仕切り壁１００は、設置枠３への壁パネル４の連結を、設置枠３に設けられた嵌合用突起（図示せず）に、壁パネル４に設けられた嵌合用凹部（図示せず）を嵌合させることで行うものであってもよい。
【００４８】
また、上述した実施形態では、横枠２がパネル連結部２２を有するものであったが、横枠２ではなく、縦枠１がパネル連結部を有していてもよい。また、縦枠１と横枠２の両方がパネル連結部を有していてもよい。つまり、設置枠３を構成する縦枠１と横枠２のうち少なくとも一方が、壁パネル４が連結されるパネル連結部を有していればよい。
【００４９】
また、上述した実施形態では、縦枠１の連結部１１は、縦枠１の縦枠本体１０から側方に突出するものであったが、この連結部１１は縦枠本体１０内に向けて突出するものであってもよい。また、縦枠１の連結部は、縦枠本体１０に穿設された孔であってもよい。この場合、前記孔の孔縁部にマグネットを設けるようにすればよい。
【００５０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５１】
１      縦枠
２      横枠
３      設置枠
４      壁パネル
１００  間仕切り壁
【図１】
2015017473.tif 000003
【図２】
2015017473.tif 000004